(57)【要約】【課題】電柱や鉄塔の状態や、縁線の形状等によらずに設置可能であり、営巣を試みる鳥が寄り付かない防鳥具を提供する。【解決手段】防鳥具１は、電柱、鉄塔、電線を含む構造物の高所に設置され、構造物に鳥が留まることを防止する器具であり、柔軟性、耐熱性、耐候性に優れ、電気絶縁性を有するシリコーンゲル等の高分子ゲルにより形成されている。これにより、鳥が留まる場所の足場が柔らかくなり、電柱１００に鳥が留まれなくなる。そして、鳥は一度留まることができなかった場所には飛来しないという習性があるため、電柱１００への営巣の防止と、糞害を防止することが可能になる。【選択図】  図１
2017060340.tif 000002
【特許請求の範囲】
【請求項１】
電柱、鉄塔、電線を含む構造物の高所に設置され、前記構造物に鳥が留まることを防止する防鳥具であって、
電気的絶縁性と、鳥が脚で把持できないような柔軟性とを備えた素材により形成されている、
ことを特徴とする防鳥具。
【請求項２】
前記防鳥具は、三角柱状に形成されて長手方向が前記構造物に沿って断面三角形の頂点が上方を向くように設置されている、
ことを特徴とする請求項１に記載の防鳥具。
【請求項３】
前記構造物は、電線であり、
前記防鳥具は、円筒状に形成されて前記電線を貫通するように設置されている、
ことを特徴とする請求項１に記載の防鳥具。
【請求項４】
前記防鳥具は、高分子ゲルまたは熱硬化性エラストマーを含む樹脂により形成されている、
ことを特徴とする請求項１ないし３のいずれか１項に記載の防鳥具。
【発明の詳細な説明】
【技術分野】
【０００１】
この発明は、電柱、鉄塔、電線等の構造物の高所に設置され、鳥が留まることを防止するための防鳥具に関する。
【背景技術】
【０００２】
従来、電気事業分野では、カラスなどの鳥類が電柱や送電塔のような鉄塔に営巣することにより、短絡事故や停電事故が発生することが深刻な問題となっている。また、電線に留まった鳥の排せつによる糞害も、付近住民からの苦情の元となっており、改善すべき課題となっている。
【０００３】
そのため、電柱の腕金等に障害物を設置して巣を作るスペースを無くす技術が知られている。例えば、電柱の腕金、鉄塔の支柱、または電線に略凸弧上に形成されたボード上の部材を垂直に設置した営巣防止器が知られている（例えば、特許文献１参照。）。
【先行技術文献】
【特許文献】
【０００４】
【特許文献１】特開２００９−２５６９３７号公報
【発明の概要】
【発明が解決しようとする課題】
【０００５】
しかしながら、特許文献１に記載の営巣防止器では、電柱や鉄塔の状態や、縁線の形状によっては設置できない場合があり、このように電柱の腕金等に設置する障害物の形状や大きさが固定されている場合、加工の自由がなく、取り付ける場合であっても時間を要するという問題があった。また、鳥が営巣を試みて運んできた小枝等の材料が地面に落下する、という問題があった。
【０００６】
そこでこの発明は、電柱や鉄塔の状態や、縁線の形状等によらずに設置可能であり、営巣を試みる鳥が寄り付かない防鳥具を提供することを目的とする。
【課題を解決するための手段】
【０００７】
上記課題を解決するために、請求項１の発明は、電柱、鉄塔、電線を含む構造物の高所に設置され、前記構造物に鳥が留まることを防止する防鳥具であって、電気的絶縁性と、鳥が脚で把持できないような柔軟性とを備えた素材により形成されている、ことを特徴とする。
【０００８】
請求項２の発明は、請求項１に記載の防鳥具において、前記防鳥具は、三角柱状に形成されて長手方向が前記構造物に沿って断面三角形の頂点が上方を向くように設置されている、ことを特徴とする。
【０００９】
請求項３の発明は、請求項１に記載の防鳥具において、前記構造物は、電線であり、前記防鳥具は、円筒状に形成されて前記電線を貫通するように設置されている、ことを特徴とする。
【００１０】
請求項４の発明は、請求項１ないし３のいずれか１項に記載の防鳥具において、前記防鳥具は、高分子ゲルまたは熱硬化性エラストマーを含む樹脂により形成されている、ことを特徴とする。
【発明の効果】
【００１１】
請求項１の発明によれば、防鳥具を電気的絶縁性と、鳥が脚で把持できないような柔軟性とを備えた素材により形成したため、鳥が留まる場所の足場が柔らかくなり、電柱や鉄塔、電線に鳥が留まれなくなる。そして、鳥は一度留まることができなかった場所には飛来しないという習性があるため、同場所への営巣の防止と、糞害を防止することが可能になる。すなわち、営巣による短絡事故や停電事故を未然に防ぐことが可能になる。
【００１２】
請求項２の発明によれば、防鳥具を三角柱状に形成し、長手方向が構造物に対して沿って断面三角形の頂点が上方を向くように設置されるようにしたため、構造物に容易に設置することが可能になる。
【００１３】
請求項３の発明によれば、防鳥具を円筒状に形成し、構造物である電線を貫通するように設置されるようにしたため、電線に容易に設置することが可能になる。
【００１４】
請求項４の発明によれば、防鳥具を高分子ゲルまたは熱硬化性エラストマーを含む樹脂により形成したため、工事現場でも容易に加工できるので、多様な場所に設置することができる。
【図面の簡単な説明】
【００１５】
【図１】この発明の実施の形態１に係る防鳥具１を電柱１００に設置した状態を示す概略の斜視図である。
【図２】この発明の実施の形態１の変形例に係る防鳥具１Ａを示す斜視図である。
【図３】この発明の実施の形態２に係る防鳥具１Ｂを示す斜視図である。
【図４】図３の防鳥具１Ｂを電柱１００に設置した状態を示す概略の斜視図である。
【発明を実施するための形態】
【００１６】
以下、この発明を図示の実施の形態に基づいて説明する。
【００１７】
（実施の形態１）
図１は、この発明の実施の形態１に係る防鳥具１を電柱１００に設置した状態を示す概略の斜視図である。この防鳥具１は、電柱、鉄塔、電線を含む構造物の高所に設置され、構造物に鳥が留まることを防止する器具である。この発明の実施の形態１では、防鳥具１を電柱１００に設置する場合を例として説明する。
【００１８】
この防鳥具１は、例えば、シリコーンゲル等の高分子ゲルにより、後述する電柱１００の腕金１０１に設置可能な大きさの三角柱状に形成されている。シリコーンゲルは、柔軟性、耐熱性、耐候性に優れ、電気絶縁性を有する素材であり、カラス等の鳥がこの防鳥具１に留まろうとしても、脚の握力が効かなくなるため、留まることができないものである。なお、この発明の実施の形態１では、防鳥具１をシリコーンゲルにより形成したが、熱硬化性エラストマーにより形成しても良い。また、三角柱状に形成したが、平面を有する形状であれば他の形状であっても良い。さらに、この防鳥具１は、後述する腕金１０１よりも長い三角柱状に形成されており、電柱１００に設置する際、その工事現場で切断することが可能になっている。
【００１９】
電柱１００は、電線を架線するために、例えば、コンクリートにより円柱状に形成された構造物であり、腕金１０１を備えている。腕金１０１は、電線を把持するための部材であり、断面略方形の棒状に形成されている。
【００２０】
この防鳥具１は、例えば、以下のように電柱１００に設置される。
【００２１】
この防鳥具１は、図１に示す電柱１００の腕金１０１に、防鳥具１の長手方向に沿った長方形の側面を接触させ、断面三角形の頂点が上方を向くように載置される。このとき、防鳥具１は腕金１０１よりも長く形成されているため、腕金１０１の長さに合わせて切断される。その後、３本の電気絶縁体である樹脂製の結束バンド１０２が防鳥具１及び腕金１０１に巻きつけられて締め付けられ、腕金１０１に固定される。これにより、防鳥具１は電柱１００に固定されて設置される。この状態で、鳥が営巣をするために腕金１０１に留まろうとして防鳥具１の頂点近傍を脚で掴むと、防鳥具１は、鳥の脚の力で大きく変形する。そのため、鳥は安定して留まることができないので、腕金１０１への営巣を回避する。
【００２２】
このように、防鳥具１は、シリコーンゲルのように柔軟性、耐熱性、耐候性に優れ、電気絶縁性を有する素材で形成されているため、鳥が留まる場所の足場が柔らかくなり、電柱１００に鳥が留まれなくなる。そして、鳥は一度留まることができなかった場所には飛来しないという習性があるため、電柱１００への営巣の防止と、糞害を防止することが可能になる。すなわち、営巣による短絡事故や停電事故を未然に防ぐことが可能になる。また、工事現場でも容易に加工できるため、多様な場所に設置することができる。
【００２３】
さらに、防鳥具１は、三角柱状に形成されているため、腕金１０１に容易に設置することが可能になる。
【００２４】
なお、この発明の実施の形態１では、防鳥具１を結束バンド１０２によって腕金１０１に固定したが、以下の変形例に示すように、他の方法で固定しても良い。図２は、この発明の実施の形態１の変形例に係る防鳥具１Ａを示す斜視図である。この防鳥具１Ａは、図１に示す防鳥具１に加えて、磁力シート２が防鳥具１Ａの長手方向に沿った長方形の側面に設けられている点において、防鳥具１と異なる。この磁力シート２は、磁力を帯びたシート状の部材であり、腕金１０１に接触して磁力により腕金１０１に固定されるためのものである。これにより、腕金１０１にさらに容易に設置することが可能になる。
【００２５】
（実施の形態２）
図３は、この発明の実施の形態２に係る防鳥具１Ｂを示す斜視図である。この防鳥具１Ｂは、構造物の高所に設置されて鳥が留まることを防止する器具であり、例えば、シリコーンゲル等の高分子ゲルにより形成されている点は図１に示す防鳥具１と同様であるが、後述する電線１０３または電線１０４に設置可能な大きさの円筒状に形成され、両端の開口部を貫通する中空１１と、側面から中空１１へ切込み１２が設けられている点において、防鳥具１と異なる。この発明の実施の形態２では、防鳥具１を電線に設置する場合を例として説明する。
【００２６】
中空１１は、電線に防鳥具１Ｂを設置して電線を保持するための孔であり、断面略円形に形成されている。切込み１２は、電線を中空１１へ通すために設けられたものであり、防鳥具１Ｂの長手方向に沿った側面に直線状に設けられ、中空１１へ向けて垂直に形成されている。なお、防鳥具１Ｂは、円筒形状に形成したが、筒状であれば他の形状であっても良い。また、この防鳥具１Ｂは、図１の防鳥具１と同様に、電線に設置する際、その工事現場で切断することが可能になっている。
【００２７】
この防鳥具１Ｂは、例えば、以下のように電線に設置される。
【００２８】
図４は、図３の防鳥具１Ｂを電柱１００に設置した状態を示す概略の斜視図である。ここで、図４に示す電柱１００は、図１に示す電柱１００と同様の腕金１０１の他、腕金１０１に直線状に架線されている電線１０３と、腕金１０１の左右方向に架線されている電線１０３を接続するように湾曲して架線されている電線１０４とを備えている。
【００２９】
この防鳥具１Ｂは、切込み１２に対して、図４に示す電線１０３及び電線１０４を差し込んで中空１１に通す。このとき、防鳥具１Ｂは、設置される電線１０３または電線１０４に合わせて、適切な長さに切断される。そして、図１に示す結束バンド１０２と同様の結束バンド１０２ａが防鳥具１Ｂと、電線１０３または電線１０４に巻きつけられて締め付けられて固定される。これにより、防鳥具１Ｂは電線１０３または電線１０４に固定されて設置される。この状態で、鳥が電線１０３または電線１０４に留まろうとして防鳥具１Ｂを脚で掴むと、防鳥具１Ｂは、鳥の脚の力で大きく変形する。そのため、鳥は安定して留まることができないので、電線１０３または電線１０４から回避する。
【００３０】
このように、防鳥具１Ｂは、円筒状に形成されているため、電線１０３または電線１０４に容易に設置することが可能になる。
【００３１】
以上、この発明の実施の形態について説明したが、具体的な構成は、上記の実施の形態に限られるものではなく、この発明の要旨を逸脱しない範囲の設計の変更等があっても、この発明に含まれる。例えば、この発明の実施の形態１では、三角柱状に形成された防鳥具１を結束バンド１０２により固定し、または磁力シート２を設けて磁力により固定したが、専用の台座を設けて腕金１０１等に設置し、この専用の台座に固定するようにしても良い。
【符号の説明】
【００３２】
１，１Ａ，１Ｂ                防鳥具
２                            磁力シート
１１                          中空
１２                          切込み
１００                        電柱
１０１                        腕金
１０２，１０２ａ              結束バンド
１０３，１０４                電線
【図１】
2017060340.tif 000003
【図２】
2017060340.tif 000004
【図３】
2017060340.tif 000005
【図４】
2017060340.tif 000006